(57)【要約】【課題】  「上り回線エンハンスメント」を用いた移動通信システムにおいて、呼接続時のシグナリング量を減らし円滑な呼の接続を実現する。【解決手段】  本発明に係る伝送速度制御方法は、無線回線制御局ＲＮＣが、移動局ＵＥに対して送信データブロックサイズとＥＤＣＨ送信振幅比との対応関係を通知する工程と、移動局ＵＥが、送信データブロックサイズとＥＤＣＨ送信振幅比との対応関係に基づいて送信データブロックサイズとＥＤＣＨ送信電力比との対応関係を生成する工程と、無線基地局ＮｏｄｅＢが、移動局ＵＥに対して送信電力比を通知する工程と、移動局ＵＥが、通知された送信電力比及び送信データブロックサイズとＥＤＣＨ送信電力比との対応関係に基づいて、上りユーザデータの送信データブロックサイズを決定する工程とを有する。【選択図】  図１２
2006279911.tif 000002
【特許請求の範囲】
【請求項１】
上りユーザデータの伝送速度を制御する伝送速度制御方法であって、
無線回線制御局が、移動局に対して、前記上りユーザデータの送信データブロックサイズと、前記上りユーザデータに係るエンハンスト個別物理データチャネルと個別物理制御チャネルとの送信振幅比との対応関係を通知する工程と、
前記移動局が、前記送信データブロックサイズと前記送信振幅比との対応関係に基づいて、前記上りユーザデータの送信データブロックサイズと、前記上りユーザデータに係るエンハンスト個別物理データチャネルと個別物理制御チャネルとの送信電力比との対応関係を生成する工程と、
前記無線基地局が、前記移動局に対して、前記送信電力比を通知する工程と、
前記移動局が、通知された前記送信電力比及び前記送信データブロックサイズと前記送信電力比との対応関係に基づいて、前記上りユーザデータの送信データブロックサイズを決定する工程とを有することを特徴とする伝送速度制御方法。
【請求項２】
前記無線回線制御局が、前記無線基地局に対して、前記送信データブロックサイズと前記送信振幅比との対応関係を通知する工程と、
前記無線基地局が、前記送信データブロックサイズと前記送信振幅比との対応関係に基づいて、前記送信データブロックサイズと前記送信電力比との対応関係を生成する工程と、
前記無線基地局が、前移動局が、通知した前記送信電力比及び前記送信データブロックサイズと前記送信電力比との対応関係に基づいて、前記上りユーザデータの送信データブロックサイズを決定すると仮定して、該上りユーザデータについての受信処理リソースを割り当てる工程とを有することを特徴とする請求項１に記載の伝送速度制御方法。
【請求項３】
上りユーザデータを送信する移動局であって、
無線回線制御局から、前記上りユーザデータの送信データブロックサイズと、前記上りユーザデータに係るエンハンスト個別物理データチャネルと個別物理制御チャネルとの送信振幅比との対応関係を受信する送信振幅比対応関係受信部と、
前記送信データブロックサイズと送信振幅比との対応関係に基づいて、前記上りユーザデータの送信データブロックサイズと、前記上りユーザデータに係るエンハンスト個別物理データチャネルと個別物理制御チャネルとの送信電力比との対応関係を生成する送信電力比対応関係生成部と、
前記移動局が、無線基地局から通知された前記送信電力比及び前記送信データブロックサイズと前記送信電力比との対応関係に基づいて、前記上りユーザデータの送信データブロックサイズを決定する送信ブロックサイズ決定部とを具備することを特徴とする移動局。
【請求項４】
上りユーザデータの伝送速度を制御する伝送速度制御方法で用いられる無線基地局であって、
無線回線制御局から、前記上りユーザデータの送信データブロックサイズと、前記上りユーザデータに係るエンハンスト個別物理データチャネルと個別物理制御チャネルとの送信振幅比との対応関係を受信する送信振幅比対応関係受信部と、
前記送信データブロックサイズと送信振幅比との対応関係に基づいて、前記上りユーザデータの送信データブロックサイズと、前記上りユーザデータに係るエンハンスト個別物理データチャネルと個別物理制御チャネルとの送信電力比との対応関係を生成する送信電力比対応関係生成部と、
前記移動局に対して、前記移動局に対して、前記送信電力比を通知する送信電力比通知部と、
前移動局が、通知した前記送信電力比及び前記送信データブロックサイズと前記送信電力比との対応関係に基づいて、前記上りユーザデータの送信データブロックサイズを決定すると仮定して、該上りユーザデータについての受信処理リソースを割り当てる割当部とを具備することを特徴とする無線基地局。
【発明の詳細な説明】
【技術分野】
【０００１】  本発明は、上りユーザデータの伝送速度を制御する伝送速度制御方法、移動局及び無線基地局に関する。
【背景技術】
【０００２】  従来の移動通信システムでは、無線回線制御局ＲＮＣが、移動局ＵＥから無線基地局ＮｏｄｅＢに対する上りリンクにおいて、無線基地局ＮｏｄｅＢの無線リソースや、上りリンクにおける干渉量や、移動局ＵＥの送信電力や、移動局ＵＥの送信処理性能や、上位のアプリケーションが必要とする伝送速度等を鑑みて、個別チャネルの伝送速度を決定し、レイヤ３（Ｒａｄｉｏ  Ｒｅｓｏｕｒｃｅ  Ｃｏｎｔｒｏｌ  Ｌａｙｅｒ）のメッセージによって、移動局ＵＥ及び無線基地局ＮｏｄｅＢのそれぞれに対して、決定した個別チャネルの伝送速度を通知するように構成されている。【０００３】  ここで、無線回線制御局ＲＮＣは、無線基地局ＮｏｄｅＢの上位に存在し、無線基地局ＮｏｄｅＢや移動局ＵＥを制御する装置である。【０００４】  一般的に、データ通信は、音声通話やＴＶ通話と比べて、トラヒックがバースト的に発生することが多く、本来は、データ通信に用いられるチャネルの伝送速度を高速に変更することが望ましい。【０００５】  しかしながら、無線回線制御局ＲＮＣは、図１３に示すように、通常、多くの無線基地局ＮｏｄｅＢを統括して制御しているため、従来の移動通信システムでは、処理負荷や処理遅延等の理由により、高速な（例えば、１〜１００ｍｓ程度の）チャネルの伝送速度の変更制御を行うことは困難であるという問題点があった。【０００６】  また、従来の移動通信システムでは、高速なチャネルの伝送速度の変更制御を行うことができたとしても、装置の実装コストやネットワークの運用コストが大幅に高くなるという問題点があった。【０００７】  そのため、従来の移動通信システムでは、数１００ｍｓ〜数ｓオーダーでのチャネルの伝送速度の変更制御を行うのが通例である。【０００８】  したがって、従来の移動通信システムでは、図１４（ａ）に示すように、バースト的なデータ送信を行う場合、図１４（ｂ）に示すように、低速、高遅延及び低伝送効率を許容してデータを送信するか、又は、図１４（ｃ）に示すように、高速通信用の無線リソースを確保して、空き時間の無線帯域リソースや無線基地局ＮｏｄｅＢにおけるハードウエアリソースが無駄になるのを許容してデータを送信することとなる。【０００９】  ただし、図１４において、縦軸の無線リソースには、上述の無線帯域リソース及びハードウエアリソースの両方が当てはめられるものとする。【００１０】  そこで、第３世代移動通信システムの国際標準化団体である「３ＧＰＰ」及び「３ＧＰＰ２」において、無線リソースを有効利用するために、無線基地局ＮｏｄｅＢと移動局ＵＥとの間のレイヤ１及びＭＡＣサブレイヤ（レイヤ２）における高速な無線リソース制御方法が検討されてきた。以下、かかる検討又は検討された機能を総称して「上り回線エンハンスメント（ＥＵＬ：Ｅｎｈａｎｃｅｄ  Ｕｐｌｉｎｋ）」と呼ぶこととする。【００１１】  「上り回線エンハンスメント」では、以下の２種類の速度制御チャネルを用いて、無線基地局ＮｏｄｅＢの各セルに配置されるＭＡＣ機能が、移動局ＵＥの上りユーザデータの伝送速度を制御するように構成されている。【００１２】  第１の方法では、無線基地局ＮｏｄｅＢの各セルに配置されるＭＡＣ機能が、絶対速度制御チャネル（ＡＧＣＨ：Ａｂｓｏｌｕｔｅ  ｒａｔｅ  Ｇｒａｎｔ  Ｃｈａｎｎｅｌ）を用いて、各移動局（個別の移動局や全ての移動局）ＵＥに対して、最大許容伝送速度（又は、それに関するパラメータ）の絶対値を送信することによって、各移動局ＵＥの上りユーザデータの伝送速度を制御するように構成されている。【００１３】  ここで、上述のパラメータとは、例えば、「エンハンスト個別物理データチャネル（Ｅ−ＤＰＤＣＨ）の送信電力／個別物理制御チャネル（ＤＰＣＣＨ）の送信電力」によって求められるエンハンスト個別物理データチャネル（Ｅ−ＤＰＤＣＨ）と個別物理制御チャネル（ＤＰＣＣＨ）との送信電力比（以下、ＥＤＣＨ送信電力比とする）等、伝送速度の増減によって、同様に増減し、その関係が一意に求められるものである。３ＧＰＰでは、かかるパラメータは、ＥＤＣＨ送信電力比として定義されている（非特許文献１参照）。【００１４】  第２の方法では、無線基地局ＮｏｄｅＢの各セルに配置されるＭＡＣ機能が、相対速度制御チャネル（ＲＧＣＨ：Ｒｅｌａｔｉｖｅ  ｒａｔｅ  Ｇｒａｎｔ  Ｃｈａｎｎｅｌ）を用いて、各移動局（個別の移動局や全ての移動局）ＵＥに対して、最大許容伝送速度（又は、それに関するパラメータ）の相対値（Ｕｐ／Ｄｏｗｎ／Ｋｅｅｐ等を指示するコマンド）を送信することによって、各移動局ＵＥの上りユーザデータの伝送速度を制御するように構成されている。【００１５】  移動局ＵＥは、上りユーザデータを送信する際に、上述した速度制御チャネル（ＡＧＣＨ／ＲＧＣＨ）に基づいて、当該移動局ＵＥに許容されるＥＤＣＨ送信電力比（最大許容ＥＤＣＨ送信電力比）を特定し、当該移動局ＵＥの送信バッファに滞留している上りユーザデータのサイズ及び当該最大許容ＥＤＣＨ送信電力比に基づいて、当該送信時間間隔（ＴＴＩ：Ｔｒａｎｓｍｉｔ  Ｔｉｍｅ  Ｉｎｔｅｒｖａｌ）の送信データブロックサイズ（ＴＢＳ：Ｔｒａｎｓｐｏｒｔ  Ｂｌｏｃｋ  Ｓｉｚｅ）を決定する。【００１６】  ここで、移動局ＵＥは、上りユーザデータに係る送信データブロックサイズ（ＴＢＳ）とＥＤＣＨ送信電力比との対応表を用いて、当該送信時間間隔（ＴＴＩ）の送信データブロックサイズ（ＴＢＳ）を決定する。かかる対応表は、非特許文献２に示すように、呼の設定時等に、無線回線制御局ＲＮＣから移動局ＵＥに対して、レイヤ３シグナリングによって通知される。【００１７】  また、非特許文献２に示すように、無線回線制御局ＲＮＣは、送信データブロックサイズ（ＴＢＳ）と、「エンハンスト個別物理データチャネル（Ｅ−ＤＰＤＣＨ）の送信振幅／個別物理制御チャネル（ＤＰＣＣＨ）の送信振幅」によって求められるエンハンスト個別物理データチャネル（Ｅ−ＤＰＤＣＨ）と個別物理制御チャネル（ＤＰＣＣＨ）との送信振幅比（以下、ＥＤＣＨ送信振幅比とする）との対応表を、無線基地局ＮｏｄｅＢ及び移動局ＵＥに対して通知する。
【非特許文献１】３ＧＰＰ  ＴＳＧ−ＲＡＮ  ＴＳ２５．３０９  Ｖ６．１．０
【非特許文献２】３ＧＰＰ  ＴＳＧ  ＲＡＮ  Ｒ２−０４２７１７
【発明の開示】
【発明が解決しようとする課題】
【００１８】  上述のように、従来の「上り回線エンハンスメント」を用いた移動通信システムでは、無線回線制御局ＲＮＣが、送信データブロックサイズ（ＴＢＳ）とＥＤＣＨ送信電力比との対応表、及び、送信データブロックサイズ（ＴＢＳ）とＥＤＣＨ送信振幅比との対応表の２つを、レイヤ３シグナリングによって、無線基地局ＮｏｄｅＢ及び移動局ＵＥに通知するため、シグナリング量が膨大になり、呼の接続遅延に繋がってしまうという問題点があった。【００１９】  そこで、本発明は、以上の点に鑑みてなされたもので、「上り回線エンハンスメント」を用いた移動通信システムにおいて、呼接続時のシグナリング量を減らし円滑な呼の接続を実現することを可能とする伝送速度制御方法、移動局及び無線基地局を提供することを目的とする。
【課題を解決するための手段】
【００２０】  本発明の第１の特徴は、上りユーザデータの伝送速度を制御する伝送速度制御方法であって、無線回線制御局が、移動局に対して、前記上りユーザデータの送信データブロックサイズと、前記上りユーザデータに係るエンハンスト個別物理データチャネルと個別物理制御チャネルとの送信振幅比との対応関係を通知する工程と、前記移動局が、前記送信データブロックサイズと前記送信振幅比との対応関係に基づいて、前記上りユーザデータの送信データブロックサイズと、前記上りユーザデータに係るエンハンスト個別物理データチャネルと個別物理制御チャネルとの送信電力比との対応関係を生成する工程と、前記無線基地局が、前記移動局に対して、前記送信電力比を通知する工程と、前記移動局が、通知された前記送信電力比及び前記送信データブロックサイズと前記送信電力比との対応関係に基づいて、前記上りユーザデータの送信データブロックサイズを決定する工程とを有することを要旨とする。【００２１】  本発明の第１の特徴において、前記無線回線制御局が、前記無線基地局に対して、前記送信データブロックサイズと前記送信振幅比との対応関係を通知する工程と、前記無線基地局が、前記送信データブロックサイズと前記送信振幅比との対応関係に基づいて、前記送信データブロックサイズと前記送信電力比との対応関係を生成する工程と、前記無線基地局が、前移動局が、通知した前記送信電力比及び前記送信データブロックサイズと前記送信電力比との対応関係に基づいて、前記上りユーザデータの送信データブロックサイズを決定すると仮定して、該上りユーザデータについての受信処理リソースを割り当てる工程とを有してもよい。【００２２】  本発明の第２の特徴は、上りユーザデータを送信する移動局であって、無線回線制御局から、前記上りユーザデータの送信データブロックサイズと、前記上りユーザデータに係るエンハンスト個別物理データチャネルと個別物理制御チャネルとの送信振幅比との対応関係を受信する送信振幅比対応関係受信部と、前記送信データブロックサイズと送信振幅比との対応関係に基づいて、前記上りユーザデータの送信データブロックサイズと、前記上りユーザデータに係るエンハンスト個別物理データチャネルと個別物理制御チャネルとの送信電力比との対応関係を生成する送信電力比対応関係生成部と、前記移動局が、無線基地局から通知された前記送信電力比及び前記送信データブロックサイズと前記送信電力比との対応関係に基づいて、前記上りユーザデータの送信データブロックサイズを決定する送信ブロックサイズ決定部とを具備することを要旨とする。【００２３】  本発明の第３の特徴は、上りユーザデータの伝送速度を制御する伝送速度制御方法で用いられる無線基地局であって、無線回線制御局から、前記上りユーザデータの送信データブロックサイズと、前記上りユーザデータに係るエンハンスト個別物理データチャネルと個別物理制御チャネルとの送信振幅比との対応関係を受信する送信振幅比対応関係受信部と、前記送信データブロックサイズと送信振幅比との対応関係に基づいて、前記上りユーザデータの送信データブロックサイズと、前記上りユーザデータに係るエンハンスト個別物理データチャネルと個別物���制御チャネルとの送信電力比との対応関係を生成する送信電力比対応関係生成部と、前記移動局に対して、前記移動局に対して、前記送信電力比を通知する送信電力比通知部と、前移動局が、通知した前記送信電力比及び前記送信データブロックサイズと前記送信電力比との対応関係に基づいて、前記上りユーザデータの送信データブロックサイズを決定すると仮定して、該上りユーザデータについての受信処理リソースを割り当てる割当部とを具備することを要旨とする。
【発明の効果】
【００２４】  以上説明したように、本発明によれば、「上り回線エンハンスメント」を用いた移動通信システムにおいて、呼接続時のシグナリング量を減らし円滑な呼の接続を実現することを可能とする伝送速度制御方法、移動局及び無線基地局を提供することができる。
【発明を実施するための最良の形態】
【００２５】（本発明の第１の実施形態に係る移動通信システム）
図１乃至図１１を参照して、本発明の第１の実施形態に係る移動通信システムの構成について説明する。なお、本実施形態に係る移動通信システムは、図１３に示すように、複数の無線基地局ＮｏｄｅＢ＃１乃至＃５と、無線回線制御局ＲＮＣとを具備している。【００２６】  また、本実施形態に係る移動通信システムでは、下りリンクにおいて「ＨＳＤＰＡ」が用いられており、上りリンクにおいて「ＥＵＬ（上り回線エンハンスメント）」が用いられている。なお、「ＨＳＤＰＡ」及び「ＥＵＬ」において、ＨＡＲＱによる再送制御（Ｎプロセスストップアンドウエイト）が行われるものとする。【００２７】  したがって、上りリンクにおいて、エンハンスト個別物理データチャネル（Ｅ−ＤＰＤＣＨ）及びエンハンスト個別物理制御チャネル（Ｅ−ＤＰＣＣＨ）から構成されるエンハンスト個別物理チャネル（Ｅ−ＤＰＣＨ）と、個別物理データチャネル（ＤＰＤＣＨ：Ｄｅｄｉｃａｔｅｄ  Ｐｈｙｓｉｃａｌ  Ｄａｔａ  Ｃｈａｎｎｅｌ）及び個別物理制御チャネル（ＤＰＣＣＨ：Ｄｅｄｉｃａｔｅｄ  Ｐｈｙｓｉｃａｌ  Ｃｏｎｔｒｏｌ  Ｃｈａｎｎｅｌ）から構成される個別物理チャネル（ＤＰＣＨ）とが用いられている。【００２８】  ここで、エンハンスト個別物理制御チャネル（Ｅ−ＤＰＣＣＨ）は、Ｅ−ＤＰＤＣＨの送信フォーマット（送信ブロックサイズ等）を規定するための送信フォーマット番号や、ＨＡＲＱに関する情報（再送回数等）や、スケジューリングに関する情報（移動局ＵＥにおける送信電力やバッファ滞留量等）等のＥＵＬ用制御データを送信する。【００２９】  また、エンハンスト個別物理データチャネル（Ｅ−ＤＰＤＣＨ）は、エンハンスト個別物理制御チャネル（Ｅ−ＤＰＣＣＨ）にマッピングされており、当該エンハンスト個別物理制御チャネル（Ｅ−ＤＰＣＣＨ）で送信されるＥＵＬ用制御データに基づいて、移動局ＵＥ用のユーザデータを送信する。【００３０】  個別物理制御チャネル（ＤＰＣＣＨ）は、ＲＡＫＥ合成やＳＩＲ測定等に用いられるパイロットシンボルや、上り個別物理データチャネル（ＤＰＤＣＨ）の送信フォーマットを識別するためのＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）や、下りリンクにおける送信電力制御ビット等の制御データを送信する。【００３１】  また、個別物理データチャネル（ＤＰＤＣＨ）は、個別物理制御チャネル（ＤＰＣＣＨ）にマッピングされており、当該個別物理制御チャネル（ＤＰＣＣＨ）で送信される制御データに基づいて、移動局ＵＥ用のユーザデータを送信する。ただし、移動局ＵＥにおいて送信すべきユーザデータが存在しない場合には、個別物理データチャネル（ＤＰＤＣＨ）は送信されないように構成されていてもよい。【００３２】  また、上りリンクでは、ＨＳＰＤＡが適用されている場合に必要な高速個別物理制御チャネル（ＨＳ−ＤＰＣＣＨ：Ｈｉｇｈ  Ｓｐｅｅｄ  Ｄｅｄｉｃａｔｅｄ  Ｐｈｙｓｉｃａｌ  Ｃｏｎｔｒｏｌ  Ｃｈａｎｎｅｌ）や、ランダムアクセスチャネル（ＲＡＣＨ）も用いられている。【００３３】  高速個別物理制御チャネル（ＨＳ−ＤＰＣＣＨ）は、下り品質識別子（ＣＱＩ：Ｃｈａｎｎｅｌ  Ｑｕａｌｉｔｙ  Ｉｎｄｉｃａｔｏｒ）や、高速個別物理データチャネル用送達確認信号（Ａｃｋ又はＮａｃｋ）を送信する。【００３４】  図１に示すように、本実施形態に係る移動局ＵＥは、バスインターフェース３１と、呼処理部３２と、ベースバンド処理部３３と、ＲＦ部３４と、送受信アンテナ３５とを具備している。【００３５】  ただし、かかる機能は、ハードウエアとして独立して存在していてもよいし、一部又は全部が一体化していてもよいし、ソフトウエアのプロセスによって構成されていてもよい。【００３６】  バスインターフェース３１は、呼処理部３２から出力されたユーザデータを他の機能部（例えば、アプリケーションに関する機能部）に転送するように構成されている。また、バスインターフェース３１は、他の機能部（例えば、アプリケーションに関する機能部）から送信されたユーザデータを呼処理部３２に転送するように構成されている。【００３７】  呼処理部３２は、ユーザデータを送受信するための呼制御処理を行うように構成されている。【００３８】  ベースバンド信号処理部３３は、ＲＦ部３４から送信されたベースバンド信号に対して、逆拡散処理やＲＡＫＥ合成処理やＦＥＣ復号処理を含むレイヤ１処理と、ＭＡＣ−ｅ処理やＭＡＣ−ｄ処理を含むＭＡＣ処理と、ＲＬＣ処理とを施して取得したユーザデータを呼処理部３２に送信するように構成されている。【００３９】  また、ベースバンド信号処理部３３は、呼処理部３２から送信されたユーザデータに対してＲＬＣ処理やＭＡＣ処理やレイヤ１処理を施してベースバンド信号を生成してＲＦ部３４に送信するように構成されている。【００４０】  なお、ベースバンド信号処理部３３の具体的な機能については後述する。ＲＦ部３４は、送受信アンテナ３５を介して受信した無線周波数帯の信号に対して、検波処理やフィルタリング処理や量子化処理等を施してベースバンド信号を生成して、ベースバンド信号処理部３３に送信するように構成されている。また、ＲＦ部３４は、ベースバンド信号処理部３３から送信されたベースバンド信号を無線周波数帯の信号に変換するように構成されている。【００４１】  図２に示すように、ベースバンド信号処理部３３は、ＲＬＣ処理部３３ａと、ＭＡＣ−ｄ処理部３３ｂと、ＭＡＣ−ｅ処理部３３ｃと、レイヤ１処理部３３ｄとを具備している。【００４２】  ＲＬＣ処理部３３ａは、呼処理部３２から送信されたユーザデータに対して、レイヤ２の上位レイヤにおける処理（ＲＬＣ処理）を施して、ＭＡＣ−ｄ処理部３３ｂに送信するように構成されている。【００４３】  ＭＡＣ−ｄ処理部３３ｂは、チャネル識別子ヘッダを付与し、上りリンクにおける送信電力の限度に基づいて、上りリンクにおける送信フォーマットを作成するように構成されている。【００４４】  図３に示すように、レイヤ１処理部３３ｄは、制御情報受信部３３ｄ１と、ＥＤＣＨ送信振幅比−ＴＢＳ対応表格納部３３ｄ２と、ＥＤＣＨ送信振幅比計算部３３ｄ３と、ＥＤＣＨ送信電力比−ＴＢＳ対応表格納部３３ｄ４と、速度制御チャネル受信部３３ｄ５と、ＴＢＳ決定部３３ｄ６と、振幅決定部３３ｄ７と、ユーザデータ送信部３３ｄ８とを具備している。【００４５】  制御情報受信部３３ｄ１は、呼処理部３３ｄ１を介して、無線回線制御局ＲＮＣから、レイヤ１、２に関する制御情報を受信するように構成されている。【００４６】  ＥＤＣＨ送信振幅比−ＴＢＳ対応表格納部３３ｄ２は、制御情報受信部３３ｄ１によって受信されたレイヤ２に関する制御情報から、送信データブロックサイズとＥＤＣＨ送信振幅比との対応表（図４参照）を抽出して格納するように構成されている。【００４７】  ＥＤＣＨ送信振幅比計算部３３ｄ３は、上述の送信データブロックサイズと送信振幅比との対応表に基づいて、上りユーザデータの送信データブロックサイズとＥＤＣＨ送信電力比との対応表（対応関係）を生成するように構成されている。【００４８】  ＥＤＣＨ送信電力比−ＴＢＳ対応表格納部３３ｄ４は、ＥＤＣＨ送信振幅比計算部３３ｄ３によって生成された送信データブロックサイズとＥＤＣＨ送信電力比との対応表（図５参照）を格納するように構成されている。【００４９】  速度制御チャネル受信部３３ｄ５は、無線基地局ＮｏｄｅＢから、絶対速度制御チャネル（ＡＧＣＨ）や相対速度制御チャネル（ＲＧＣＨ）を受信するように構成されている。【００５０】  ＴＢＳ決定部３３ｄ６は、無線基地局ＮｏｄｅＢから絶対速度制御チャネル（ＡＧＣＨ）によって通知されたＥＤＣＨ送信電力比、及び、ＥＤＣＨ送信電力比−ＴＢＳ対応表格納部３３ｄ４に格納されている送信データブロックサイズと送信電力比との対応表に基づいて、上りユーザデータの送信データブロックサイズを決定するように構成されている。【００５１】  振幅決定部３３ｄ７は、決定された上りユーザデータの送信データブロックサイズ、及び、ＥＤＣＨ送信振幅比−ＴＢＳ対応表格納部３３ｄ２に格納されている送信データブロックサイズと送信振幅比との対応表に基づいて、上りユーザデータの送信振幅を決定するように構成されている。【００５２】  ユーザデータ送信部３３ｄ８は、上述のように決定された送信データブロックサイズ及び送信振幅で、上りユーザデータを送信するように構成されている。【００５３】  図６に示すように、ＭＡＣ−ｅ処理部３３ｃは、Ｅ−ＴＦＣ選択部３３ｃ１と、ＨＡＲＱ処理部３３ｃ２とを具備している。【００５４】  Ｅ−ＴＦＣ選択部３３ｃ１は、無線基地局ＮｏｄｅＢから送信されたスケジューリング信号（絶対速度制御チャネル（ＡＧＣＨ）や相対速度制御チャネル（ＲＧＣＨ）等）に基づいて、エンハンスト個別物理データチャネル（Ｅ−ＤＰＤＣＨ）及びエンハンスト個別物理制御チャネル（Ｅ−ＤＰＣＣＨ）の送信フォーマット（Ｅ−ＴＦＣ）を決定するように構成されている。【００５５】  また、Ｅ−ＴＦＣ選択部３３ｃ１は、決定した送信フォーマットについての送信フォーマット情報（送信データブロックサイズやＥＤＣＨ送信電力比等）をレイヤ１処理部３３ｄに送信すると共に、決定した送信フォーマット情報を、ＨＡＲＱ処理部３３ｃ２に送信する。【００５６】  かかるスケジューリング信号は、当該移動局ＵＥが在圏しているセルにおいて報知されている情報であり、当該セルに在圏している全ての移動局、又は、当該セルに在圏している特定グループの移動局に対する制御情報を含む。【００５７】  ＨＡＲＱ処理部３３ｃ２は、「Ｎプロセスのストップアンドウエイト」のプロセス管理を行い、無線基地局ＮｏｄｅＢから受信される送達確認信号（上りデータ用のＡｃｋ／Ｎａｃｋ）に基づいて、上りリンクにおけるユーザデータの伝送を行うように構成されている。【００５８】  具体的には、ＨＡＲＱ処理部３３ｃ２は、レイヤ１処理部３３ｄから入力されたＣＲＣ結果に基づいて下りユーザデータの受信処理が成功したか否かについて判定する。そして、ＨＡＲＱ処理部３３ｃ２は、かかる判定結果に基づいて送達確認信号（下りユーザデータ用のＡｃｋ又はＮａｃｋ）を生成して、レイヤ１処理部３３ｄに送信する。また、ＨＡＲＱ処理部３３ｃ２は、上述の判定結果がＯＫであった場合、レイヤ１処理部３３ｄから入力された下りユーザデータをＭＡＣ−ｄ処理部３３ｄに送信する。【００５９】  図７に示すように、本実施形態に係る無線基地局ＮｏｄｅＢは、ＨＷＹインターフェース１１と、ベースバンド信号処理部１２と、呼制御部１３と、１つ又は複数の送受信部１４と、１つ又は複数のアンプ部１５と、１つ又は複数の送受信アンテナ１６とを備える。【００６０】  ＨＷＹインターフェース１１は、無線回線制御局ＲＮＣとのインターフェースである。具体的には、ＨＷＹインターフェース１１は、無線回線制御局ＲＮＣから、下りリンクを介して移動局ＵＥに送信するユーザデータを受信して、ベースバンド信号処理部１２に入力するように構成されている。また、ＨＷＹインターフェース１１は、無線回線制御局ＲＮＣから、無線基地局ＮｏｄｅＢに対する制御データを受信して、呼制御部１３に入力するように構成されている。【００６１】  また、ＨＷＹインターフェース１１は、ベースバンド信号処理部１２から、上りリンクを介して移動局ＵＥから受信した上りリンク信号に含まれるユーザデータを取得して、無線回線制御局ＲＮＣに送信するように構成されている。さらに、ＨＷＹインターフェース１１は、無線回線制御局ＲＮＣに対する制御データを呼制御部１３から取得して、無線回線制御局ＲＮＣに送信するように構成されている。【００６２】  ベースバンド信号処理部１２は、ＨＷＹインターフェース１１から取得したユーザデータに対して、ＲＬＣ処理やＭＡＣ処理（ＭＡＣ−ｄ処理やＭＡＣ−ｅ処理）やレイヤ１処理を施してベースバンド信号を生成して、送受信部１４に転送するように構成されている。【００６３】  ここで、下りリンクにおけるＭＡＣ処理には、ＨＡＲＱ処理やスケジューリング処理や伝送速度制御処理等が含まれる。また、下りリンクにおけるレイヤ１処理には、ユーザデータのチャネル符号化処理や拡散処理等が含まれる。【００６４】  また、ベースバンド信号処理部１２は、送受信部１４から取得したベースバンド信号に対して、レイヤ１処理やＭＡＣ処理（ＭＡＣ−ｅ処理やＭＡＣ−ｄ処理）やＲＬＣ処理を施してユーザデータを抽出して、ＨＷＹインターフェース１１に転送するように構成されている。【００６５】  ここで、上りリンクにおけるＭＡＣ処理には、ＨＡＲＱ処理やスケジューリング処理や伝送速度制御処理やヘッダ廃棄処理等が含まれる。また、上りリンクにおけるレイヤ１処理には、逆拡散処理やＲＡＫＥ合成処理や誤り訂正復号処理等が含まれる。【００６６】  なお、ベースバンド信号処理部１２の具体的な機能については後述する。また、呼制御部１３は、ＨＷＹインターフェース１１から取得した制御データに基づいて呼制御処理を行うものである。【００６７】  送受信部１４は、ベースバンド信号処理部１２から取得したベースバンド信号を無線周波数帯の信号（下りリンク信号）に変換する処理を施してアンプ部１５に送信するように構成されている。また、送受信部１４は、アンプ部１５から取得した無線周波数帯の信号（上りリンク信号）をベースバンド信号に変換する処理を施してベースバンド信号処理部１２に送信するように構成されている。【００６８】  アンプ部１５は、送受信部１４から取得した下りリンク信号を増幅して、送受信アンテナ１６を介して移動局ＵＥに送信するように構成されている。また、アンプ部１５は、送受信アンテナ１６によって受信された上りリンク信号を増幅して、送受信部１４に送信するように構成されている。【００６９】  図８に示すように、ベースバンド信号処理部１２は、ＲＬＣ処理部１２１と、ＭＡＣ−ｄ処理部１２２と、ＭＡＣ−ｅ及びレイヤ１処理部１２３とを具備している。【００７０】  ＭＡＣ−ｅ及びレイヤ１処理部１２３は、送受信部１４から取得したベースバンド信号に対して、逆拡散処理やＲＡＫＥ合成処理や誤り訂正復号処理やＨＡＲＱ処理等を行うように構成されている。【００７１】  ＭＡＣ−ｄ処理部１２２は、ＭＡＣ−ｅ及びレイヤ１処理部１２３からの出力信号に対して、ヘッダの廃棄処理等を行うように構成されている。【００７２】  ＲＬＣ処理部１２１は、ＭＡＣ−ｄ処理部１２２からの出力信号に対して、ＲＬＣレイヤにおける再送制御処理やＲＬＣ−ＳＤＵの再構築処理等を行うように構成されている。【００７３】  ただし、これらの機能は、ハードウエアで明確に分けられておらず、ソフトウエアによって実現されていてもよい。【００７４】  図９に示すように、ＭＡＣ−ｅ及びレイヤ１処理部（上りリンク用構成）１２３は、ＤＰＣＣＨ  ＲＡＫＥ部１２３ａと、ＤＰＤＣＨ  ＲＡＫＥ部１２３ｂと、Ｅ−ＤＰＣＣＨ  ＲＡＫＥ部１２３ｃと、Ｅ−ＤＰＤＣＨ  ＲＡＫＥ部１２３ｄと、ＨＳ−ＤＰＣＣＨ  ＲＡＫＥ部１２３ｅと、ＲＡＣＨ処理部１２３ｆと、ＴＦＣＩデコーダ部１２３ｇと、バッファ１２３ｈ、１２３ｍと、再逆拡散部１２３ｉ、１２３ｎと、ＦＥＣデコーダ部１２３ｊ、１２３ｐと、Ｅ−ＤＰＣＣＨデコーダ部１２３ｋと、ＭＡＣ−ｅ機能部１２３ｌと、ＨＡＲＱバッファ１２３ｏと、ＭＡＣ−ｈｓ機能部１２３ｑと、受信電力測定部１２３ｒとを具備している。【００７５】  Ｅ−ＤＰＣＣＨ  ＲＡＫＥ部１２３ｃは、送受信部１４から送信されたベースバンド信号内のエンハンスト個別物理制御チャネル（Ｅ−ＤＰＣＣＨ）に対して、逆拡散処理と、個別物理制御チャネル（ＤＰＣＣＨ）に含まれているパイロットシンボルを用いたＲＡＫＥ合成処理を施すように構成されている。【００７６】  Ｅ−ＤＰＣＣＨデコーダ部１２３ｋは、Ｅ−ＤＰＣＣＨ  ＲＡＫＥ部１２３ｃのＲＡＫＥ合成出力に対して復号処理を施して、送信フォーマット番号やＨＡＲＱに関する情報やスケジューリングに関する情報等を取得してＭＡＣ−ｅ機能部１２３ｌに入力するように構成されている。【００７７】  Ｅ−ＤＰＤＣＨ  ＲＡＫＥ部１２３ｄは、送受信部１４から送信されたベースバンド信号内のエンハンスト個別物理データチャネル（Ｅ−ＤＰＤＣＨ）に対して、ＭＡＣ−ｅ機能部１２３ｌから送信された送信フォーマット情報（コード数）を用いた逆拡散処理と、個別物理制御チャネル（ＤＰＣＣＨ）に含まれているパイロットシンボルを用いたＲＡＫＥ合成処理を施すように構成されている。【００７８】  バッファ１２３ｍは、ＭＡＣ−ｅ機能部１２３ｌから送信された送信フォーマット情報（シンボル数）に基づいて、Ｅ−ＤＰＤＣＨ  ＲＡＫＥ部１２３ｄのＲＡＫＥ合成出力を蓄積するように構成されている。【００７９】  再逆拡散部１２３ｎは、ＭＡＣ−ｅ機能部１２３ｌから送信された送信フォーマット情報（拡散率）に基づいて、バッファ１２３ｍに蓄積されているＥ−ＤＰＤＣＨ  ＲＡＫＥ部１２３ｄのＲＡＫＥ合成出力に対して、逆拡散処理を施すように構成されている。【００８０】  ＨＡＲＱバッファ１２３ｏは、ＭＡＣ−ｅ機能部１２３ｌから送信された送信フォーマット情報に基づいて、再逆拡散部１２３ｎの逆拡散処理出力を蓄積するように構成されている。【００８１】  ＦＥＣデコーダ部１２３ｐは、ＭＡＣ−ｅ機能部１２３ｌから送信された送信フォーマット情報（送信データブロックサイズ）に基づいて、ＨＡＲＱバッファ１２３ｏに蓄積されている再逆拡散部１２３ｎの逆拡散処理出力に対して、誤り訂正復号処理（ＦＥＣ復号処理）を施すように構成されている。【００８２】  ＭＡＣ−ｅ機能部１２３ｌは、Ｅ−ＤＰＣＣＨデコーダ部１２３ｋから取得した送信フォーマット番号やＨＡＲＱに関する情報やスケジューリングに関する情報等に基づいて、送信フォーマット情報（コード数やシンボル数や拡散率や送信データブロックサイズ等）を算出して出力するように構成されている。【００８３】  また、ＭＡＣ−ｅ機能部１２３ｌは、図１０に示すように、受信処理命令部１２３ｌ１と、ＨＡＲＱ管理部１２３ｌ２と、スケジューリング部１２３ｌ３とを具備している。【００８４】  受信処理命令部１２３ｌ１は、Ｅ−ＤＰＣＣＨデコーダ部１２３ｋから入力された送信フォーマット番号やＨＡＲＱに関する情報やスケジューリングに関する情報を、ＨＡＲＱ管理部１２３ｌ２に送信するように構成されている。【００８５】  また、受信処理命令部１２３ｌ１は、Ｅ−ＤＰＣＣＨデコーダ部１２３ｋから入力されたスケジューリングに関する情報を、スケジューリング部１２３ｌ３に送信するように構成されている。【００８６】  さらに、受信処理命令部１２３ｌ１は、Ｅ−ＤＰＣＣＨデコーダ部１２３ｋから入力された送信フォーマット番号に対応する送信フォーマット情報を出力するように構成されている。【００８７】  ＨＡＲＱ管理部１２３ｌ２は、ＦＥＣデコーダ部１２３ｐから入力されたＣＲＣ結果に基づいて、上りユーザデータの受信処理が成功したか否かについて判定する。そして、ＨＡＲＱ管理部１２３ｌ２は、かかる判定結果に基づいて送達確認信号（Ａｃｋ又はＮａｃｋ）を生成して、ベースバンド信号処理部１２の下りリンク用構成に送信する。また、ＨＡＲＱ管理部１２３ｌ２は、上述の判定結果がＯＫであった場合、ＦＥＣデコーダ部１２３ｐから入力され���上りユーザデータを無線回線制御局ＲＮＣに送信する。【００８８】  また、ＨＡＲＱ管理部１２３ｌ２は、上述の判定結果がＯＫである場合には、ＨＡＲＱバッファ１２３ｏに蓄積されている軟判定情報をクリアする。一方、ＨＡＲＱ管理部１２３ｌ２は、上述の判定結果がＮＧである場合には、ＨＡＲＱバッファ１２３ｏに、上りユーザデータを蓄積する。【００８９】  また、ＨＡＲＱ管理部１２３ｌ２は、上述の判定結果を受信処理命令部１２３ｌ１に転送し、受信処理命令部１２３ｌ１は、受信した判定結果に基づいて、次のＴＴＩに備えるべきハードウエアリソースをＥ−ＤＰＤＣＨ  ＲＡＫＥ部１２３ｄ及びバッファ１２３ｍに通知し、ＨＡＲＱバッファ１２３ｏにおけるリソース確保のための通知を行う。【００９０】  また、受信処理命令部１２３ｌ１は、バッファ１２３ｍ及びＦＥＣデコーダ部１２３ｐに対して、ＴＴＩ毎に、バッファ１２３ｍに蓄積されている上りユーザデータがある場合には、ＨＡＲＱバッファ１２３ｏに蓄積されている当該ＴＴＩに該当するプロセスにおける上りユーザデータと新規に受信した上りユーザデータとを加算した後に、ＦＥＣ復号処理を行うように、ＨＡＲＱバッファ１２３ｏ及びＦＥＣデコーダ部１２３ｐに指示する。【００９１】  スケジューリング部１２３ｌ３は、下りリンク用構成を介して、スケジューリング信号（絶対速度制御チャネル（ＡＧＣＨ）や相対速度制御チャネル（ＲＧＣＨ）等）を送信するように構成されている。【００９２】  本実施形態に係る無線回線制御局ＲＮＣは、無線基地局ＮｏｄｅＢの上位に位置する装置であり、無線基地局ＮｏｄｅＢと移動局ＵＥとの間の無線通信を制御するように構成されている。【００９３】  図１１に示すように、本実施形態に係る無線回線制御局ＲＮＣは、交換局インターフェース５１と、ＬＬＣレイヤ処理部５２と、ＭＡＣレイヤ処理部５３と、メディア信号処理部５４と、基地局インターフェース５５と、呼制御部５６とを具備している。【００９４】  交換局インターフェース５１は、交換局１とのインターフェースである。交換局インターフェース５１は、交換局１から送信された下りリンク信号をＬＬＣレイヤ処理部５２に転送し、ＬＬＣレイヤ処理部５２から送信された上りリンク信号を交換局１に転送するように構成されている。【００９５】  ＬＬＣレイヤ処理部５２は、シーケンス番号等のヘッダ又はトレーラの合成処理等のＬＬＣ（論理リンク制御：Ｌｏｇｉｃａｌ  Ｌｉｎｋ  Ｃｏｎｔｒｏｌ）サブレイヤ処理を施すように構成されている。ＬＬＣレイヤ処理部５２は、ＬＬＣサブレイヤ処理を施した後、上りリンク信号については交換局インターフェース５１に送信し、下りリンク信号についてはＭＡＣレイヤ処理部５３に送信するように構成されている。【００９６】  ＭＡＣレイヤ処理部５３は、優先制御処理やヘッダ付与処理等のＭＡＣレイヤ処理を施すように構成されている。ＭＡＣレイヤ処理部５３は、ＭＡＣレイヤ処理を施した後、上りリンク信号についてはＬＬＣレイヤ処理部５２に送信し、下りリンク信号については基地局インターフェース５５（又は、メディア信号処理部５４）に送信するように構成されている。【００９７】  メディア信号処理部５４は、音声信号��リアルタイムの画像信号に対して、メディア信号処理を施すように構成されている。メディア信号処理部５４は、メディア信号処理を施した後、上りリンク信号についてはＭＡＣレイヤ処理部５３に送信し、下りリンク信号については基地局インターフェース５５に送信するように構成されている。【００９８】  基地局インターフェース５５は、無線基地局ＮｏｄｅＢとのインターフェースである。基地局インターフェース５５は、無線基地局ＮｏｄｅＢから送信された上りリンク信号をＭＡＣレイヤ処理部５３（又は、メディア信号処理部５４）に転送し、ＭＡＣレイヤ処理部５３（又は、メディア信号処理部５４）から送信された下りリンク信号を無線基地局ＮｏｄｅＢに転送するように構成されている。【００９９】  呼制御部５６は、無線リソース管理処理や、レイヤ３シグナリングによるチャネルの設定及び開放処理等を施すように構成されている。ここで、無線リソース管理には、呼受付制御やハンドオーバー制御等が含まれる。【０１００】  呼制御部５６は、移動局ＵＥとの間で、上りユーザデータが送信されるユーザデータ用チャネルコネクションを設定する際に（すなわち、呼の設定時に）、移動局ＵＥ及び無線基地局ＮｏｄｅＢに対して、送信データブロックサイズ（ＴＢＳ）とＥＤＣＨ送信振幅比との対応表（対応関係）を通知するように構成されている。【０１０１】  なお、本実施形態では、呼制御部５６は、移動局ＵＥとの間で、上りユーザデータが送信されるユーザデータ用チャネルコネクションを設定する際に（すなわち、呼の設定時に）、移動局ＵＥ及び無線基地局ＮｏｄｅＢに対して、送信データブロックサイズ（ＴＢＳ）とＥＤＣＨ送信電力比との対応表（対応関係）を通知しないように構成されている。【０１０２】  図１２を参照して、本発明の第１の実施形態に係る移動通信システムの動作について説明する。図１２（ａ）に、かかる移動通信システムにおける移動局ＵＥの動作を示し、図１２（ｂ）に、かかる移動通信システムにおける無線基地局ＮｏｄｅＢの動作を示す。【０１０３】  図１２（ａ）に示すように、ステップＳ１０１において、移動局ＵＥは、無線回線制御局ＲＮＣから、レイヤ２に関する制御情報を受信し、受信したレイヤ２に関する制御情報から、送信データブロックサイズとＥＤＣＨ送信振幅比との対応表（図４参照）を抽出して格納する。【０１０４】  ステップＳ１０２において、移動局ＵＥは、上述の送信データブロックサイズと送信振幅比との対応関係に基づいて、上りユーザデータの送信データブロックサイズとＥＤＣＨ送信電力比との対応表（対応関係）を生成して格納する。【０１０５】  ステップＳ１０３において、移動局ＵＥは、無線基地局ＮｏｄｅＢから、絶対速度制御チャネル（ＡＧＣＨ）を受信し、当該絶対速度制御チャネル（ＡＧＣＨ）によって通知されたＥＤＣＨ送信電力比、及び、格納されている送信データブロックサイズと送信電力比との対応表に基づいて、上りユーザデータの送信データブロックサイズを決定する。【０１０６】  ステップＳ１０４において、移動局ＵＥは、決定された上りユーザデータの送信データブロックサイズ、及び、格納されている送信データブロックサイズと送信振幅比との対応表に基づい��、上りユーザデータの送信振幅を決定する。【０１０７】  ステップＳ１０５において、移動局ＵＥは、上述のように決定された送信データブロックサイズ及び送信振幅で、上りユーザデータを送信する。【０１０８】  図１２（ｂ）に示すように、ステップＳ２０１において、無線基地局ＮｏｄｅＢは、無線回線制御局ＲＮＣから、レイヤ２に関する制御情報を受信し、受信したレイヤ２に関する制御情報から、送信データブロックサイズとＥＤＣＨ送信振幅比との対応表（図４参照）を抽出して格納する。【０１０９】  ステップＳ２０２において、無線基地局ＮｏｄｅＢは、上述の送信データブロックサイズと送信振幅比との対応関係に基づいて、上りユーザデータの送信データブロックサイズとＥＤＣＨ送信電力比との対応表（対応関係）を生成して格納する。【０１１０】  ステップＳ２０３において、無線基地局ＮｏｄｅＢは、移動局ＵＥに対して絶対速度制御チャネル（ＡＧＣＨ）を通知する。【０１１１】  そして、無線基地局ＮｏｄｅＢは、移動局ＵＥが、当該絶対速度制御チャネル（ＡＧＣＨ）によって通知されたＥＤＣＨ送信電力比、及び、格納されている送信データブロックサイズと送信電力比との対応表に基づいて、上りユーザデータの送信データブロックサイズを決定し、決定された上りユーザデータの送信データブロックサイズ、及び、格納されている送信データブロックサイズと送信振幅比との対応表に基づいて、上りユーザデータの送信振幅を決定すると仮定して、当該上りユーザデータに対する受信処理リソースを割り当てる。【０１１２】  ステップＳ２０４において、無線基地局ＮｏｄｅＢは、割り当てられた受信処理リソースを用いて、移動局ＵＥからの上りユーザデータを受信する。
【図面の簡単な説明】
【０１１３】
【図１】本発明の第１の実施形態に係る移動通信システムの移動局の機能ブロック図である。
【図２】本発明の第１の実施形態に係る移動通信システムの移動局におけるベースバンド信号処理部の機能ブロック図である。
【図３】本発明の第１の実施形態に係る移動通信システムの移動局におけるベースバンド信号処理部のレイヤ１処理部の機能ブロック図である。
【図４】本発明の第１の実施形態に係る移動通信システムの移動局におけるベースバンド信号処理部のレイヤ１処理部のＥＤＣＨ送信振幅比−ＴＳＢ対応表格納部に格納されている対応表の一例を示す図である。
【図５】本発明の第１の実施形態に係る移動通信システムの移動局におけるベースバンド信号処理部のレイヤ１処理部のＥＤＣＨ送信電力比−ＴＳＢ対応表格納部に格納されている対応表の一例を示す図である。
【図６】本発明の第１の実施形態に係る移動通信システムの移動局におけるベースバンド信号処理部のＭＡＣ−ｅ処理部の機能ブロック図である。
【図７】本発明の第１の実施形態に係る移動通信システムの無線基地局の機能ブロック図である。
【図８】本発明の第１の実施形態に係る移動通信システムの無線基地局におけるベースバンド信号処理部の機能ブロック図である。
【図９】本発明の第１の実施形態に係る移動通信システムの無線基地局のベースバンド信号処理部におけるＭＡＣ−ｅ及びレイヤ１処理部（上りリンク用構成）の機能ブロック図である。
【図１０】本発明の第１の実施形態に係る移動通信システムの無線基地局のベースバンド信号処理部におけるＭＡＣ−ｅ及びレイヤ１処理部（上りリンク用構成）のＭＡＣ−ｅ機能部の機能ブロック図である。
【図１１】本発明の第１の実施形態に係る移動通信システムの無線回線制御局の機能ブロック図である。
【図１２】本発明の第１の実施形態に係る移動通信システムの動作を示すフローチャートである。
【図１３】一般的な移動通信システムの全体構成図である。
【図１４】従来の移動通信システムにおいて、バースト的なデータを送信する際の動作を説明するための図である。
【符号の説明】
【０１１４】１…交換局、ＮｏｄｅＢ…無線基地局、１１…ＨＷＹインターフェース、１２、３３…ベースバンド信号処理部、１２１、３３ａ…ＲＬＣ処理部、１２２、３３ｂ…ＭＡＣ−ｄ処理部、１２３…ＭＡＣ−ｅ及びレイヤ１処理部、１２３ａ…ＤＰＣＣＨ  ＲＡＫＥ部、１２３ｂ…ＤＰＤＣＨ  ＲＡＫＥ部、１２３ｃ…Ｅ−ＤＰＣＣＨ  ＲＡＫＥ部、１２３ｄ…Ｅ−ＤＰＤＣＨ  ＲＡＫＥ部、１２３ｅ…ＨＳ−ＤＰＣＣＨ  ＲＡＫＥ部、１２３ｆ…ＲＡＣＨ処理部、１２３ｇ…ＴＦＣＩデコーダ部、１２３ｈ、１２３ｍ…バッファ、１２３ｉ、１２３ｎ…再逆拡散部、１２３ｊ、１２３ｐ…ＦＥＣデコーダ部、１２３ｋ…Ｅ−ＤＰＣＣＨデコーダ部、１２３ｌ…ＭＡＣ−ｅ機能部、１２３ｌ１…受信処理命令部、１２３ｌ２…ＨＡＲＱ管理部、１２３ｌ３…スケジューリング部、１２３ｏ…ＨＡＱＲバッファ、１２３ｑ…ＭＡＣ−ｈｓ機能部、１２３ｒ…受信電力測定部、１３、５６…呼制御部、１４…送受信部、１５…アンプ部、１６、３５…送受信アンテナ、ＵＥ…移動局、３１…バスインターフェース、３２…呼処理部、３４…ＲＦ部、３３ｃ…ＭＡＣ−ｅ処理部、３３ｃ１…Ｅ−ＴＦＣＩ選択部、３３ｃ２…ＨＡＲＱ処理部、３３ｄ…レイヤ１処理部、３３ｄ１…制御情報受信部、３３ｄ２…ＥＤＣＨ送信振幅比−ＴＢＳ対応表格納部、３３ｄ３…ＥＤＣＨ送信振幅比計算部、３３ｄ４…ＥＤＣＨ送信電力比−ＴＢＳ対応表格納部、３３ｄ５…速度制御チャネル受信部、３３ｄ６…ＴＢＳ決定部、３３ｄ７…振幅決定部、３３ｄ８…ユーザデータ送信部、ＲＮＣ…無線回線制御局、５１…交換局インターフェース、５２…ＬＬＣレイヤ処理部、５３…ＭＡＣレイヤ処理部、５４…メディア信号処理部、５５…基地局インターフェース
【図１】
2006279911.tif 000003
【図２】
2006279911.tif 000004
【図３】
2006279911.tif 000005
【図４】
2006279911.tif 000006
【図５】
2006279911.tif 000007
【図６】
2006279911.tif 000008
【図７】
2006279911.tif 000009
【図８】
2006279911.tif 000010
【図９】
2006279911.tif 000011
【図１０】
2006279911.tif 000012
【図１１】
2006279911.tif 000013
【図１２】
2006279911.tif 000014
【図１３】
2006279911.tif 000015
【図１４】
2006279911.tif 000016